(57)【要約】    【課題】  デジタル伝送装置用アダプタのモードを判別可能なデジタル伝送装置を提供する。    【解決手段】  送信側アダプタ１５０と受信側アダプタ２５０の各々に、送信機側本体１００または受信機側本体２００からの、補助データキャリアの配置位置を特定するためのイネーブル信号から伝送モードを判別し（１５２，２５１）、送信側アダプタにおいては判別した伝送モードに基づいて、送信機側本体に補助データを出力し、受信側アダプタにおいては判別した伝送モードに基づいて、受信機側本体から出力される補助データを復調する。【選択図】  図１
2005102065.tif 000002
【特許請求の範囲】
【請求項１】
送信機側装置に送信機側本体と該送信機側本体に接続の送信側アダプタを、受信機側装置に受信機側本体と該受信機側本体に接続の受信側アダプタを備え、前記送信側アダプタと前記受信側アダプタの各々に、前記送信機側本体または前記受信機側本体からの、補助データキャリアの配置位置を特定するためのイネーブル信号から伝送モードを判別し、前記送信側アダプタにおいては判別した伝送モードに基づいて、前記送信機側本体に補助データを出力し、前記受信側アダプタにおいては判別した伝送モードに基づいて、前記受信機側本体から出力される補助データを復調することを特徴とするデジタル伝送装置。
【請求項２】
送信機側本体に接続される送信側アダプタまたは受信機側本体に接続される受信側アダプタであって、前記送信側アダプタにおいては前記送信機側本体，前記受信側アダプタにおいては前記受信機側本体からの、補助データキャリアの配置位置を特定するためのイネーブル信号から伝送モードを判別し、前記送信側アダプタにおいては判別した伝送モードに基づいて補助データを出力し、前記受信側アダプタにおいては判別した伝送モードに基づいて補助データを復調して出力することを特徴とするデジタル伝送装置用アダプタ。
【請求項３】
請求項１または２記載において、前記伝送モードを、前記補助データキャリアの配置位置を特定するためのイネーブル信号から、前記補助データキャリアの数または前記補助データキャリアの数と位置を検知することにより判別することを特徴とするデジタル伝送装置またはデジタル伝送装置用アダプタ。
【発明の詳細な説明】
【技術分野】
【０００１】
本発明は、デジタル伝送装置およびデジタル伝送装置用アダプタにおける伝送モードの判別に関する。
【背景技術】
【０００２】
ＦＰＵ（Field Pickup Unit）は、送信機側装置と受信機側装置に区分される。送信機側装置は事件現場に配置され、現場の映像をＭＰＥＧ２コーデックで圧縮変換し、そのデータを送信する。受信機側装置は、放送局に配備され送られた電波からデータを再生し、ＭＰＥＧ２コーデックで伸長変換することで、現場の映像を再生し、ニュース番組等に使用する。
【０００３】
送信機側装置と受信機側装置それぞれは、設置作業を簡略化するために、通常は高周波部と制御部に分かれた２つで構成される。電波の送信と受信は、できるだけ高所で行うことが望ましい。一方、映像等は地上での撮影となるため、ＭＰＥＧ２コーデック及び制御部である変調部もしくは復調部は、分離し地上もしくは事件現場付近に配置される。両者の間は、５０オームケーブルで接続され、１３０ＭＨｚのＩＦ信号と高周波部を駆動するためのＤＣ電源が重畳される。
【０００４】
図１０は、従来のデジタル伝送装置の全体構成図である。このデジタル伝送装置は、ＯＦＤＭ（Orthogonal Frequency Division Multiplexing）伝送方式の信号を送受信するデジタル伝送装置である。
【０００５】
送信機側装置は、変調部１１０と送信高周波部１２０からなり、受信機側装置は、受信高周波部２１０と復調部２２０からなる。
【０００６】
変調部１１０は、ビルの１Ｆに設置され、映像またはその圧縮データからなる主データと、音声またはその圧縮データからなる補助データと、主データおよび補助データの変調モードを示す識別データとを、変調部（ＭＯＤ）１１１でデジタル変調し、アップコンバータ（ＵＰｉ）１１２で、ＩＦ基準発振器（ＯＳＣ−Ｍ）１１３からの信号を使って１３０ＭＨｚのＩＦ信号Ｓｉｔに変換する。
【０００７】
送信高周波部１２０は、高所である屋上や鉄塔に設置され、ＩＦ信号Ｓｉｔを、アップコンバータ（ＵＰμ）１２１で、ＲＦ基準発振器（ＯＳＣ−Ｔｈ）１２２からの信号を使ってマイクロ波帯信号に周波数変換し、電力増幅器（ＰＡ）１２３で電力増幅し送信信号Ｓｒｔにして、アンテナから伝送する。
【０００８】
受信高周波部２１０は、通常屋上に設置され、アンテナに届いた微弱受信信号Ｓｒｒをローノイズアンプ（ＬＮＡ）２１１で増幅し、ダウンコンバータ（ＤＯＷＮｉ）２１２で、ＲＦ基準発振器（ＯＳＣ−Ｔｈ）２１３からの信号を使って１３０ＭＨｚのＩＦ信号Ｓｉｒに周波数変換する。
【０００９】
復調部２２０は、ビルの１Ｆに設置され、１３０ＭＨｚのＩＦ信号Ｓｉｒを、ダウンコンバータ（ＤＯＷＮｂ）２２１で、電圧制御発振器（ＶＣＯ−Ｄ）２２２からの信号を使ってベースバンド信号Ｓｂｒに周波数変換し、復調部（ＤＥＭ）２２３で、変調部１１０での上記主データおよび補助データおよび識別データの変調モードを示すＴＭＣＣ（Transmission and Multiplexing Configuration Control）キャリアを抽出し、抽出した変調モードを用いて変調部１１における上記主データおよび補助データおよび識別データを復調する。
【００１０】
上記構成を使用するＯＦＤＭ（Orthogonal Frequency Division Multiplexing）伝送方式他のデジタル伝送装置において、周波数のずれは、復号データの品質を低下させる。そのため、復調部２２０の復調部（ＤＥＭ）２２３に接続されたずれ検出器２２４を設け、ずれ修正を行う。具体的には、復調部２２０の復調部（ＤＥＭ）２２３の出力であるキャリア周波数Ｆｓを、ずれ検出器２２４が入力として、ずれ量に応じた周波数補正電圧ＡＪを発生し、電圧制御発振器（ＶＣＯ−Ｄ）２２２の周波数を変化させ、ベースバンドダウンコンバータ２２１の出力を調整してずれ修正を行う。この周波数同期再生機能が不可欠である。
【００１１】
周波数ずれの主原因は、変調部１１０のＩＦ基準発振器（ＯＳＣ−Ｍ）１１３、送信高周波部１２０のＲＦ基準発振器（ＯＳＣ―Ｔｈ）１２２、受信高周波部２１０のＲＦ基準発振器（ＯＳＣ−Ｔｈ）２１３等の周波数偏差である。特に、ＲＦ基準発振器（ＯＳＣ―Ｔｈ）１２２、ＲＦ基準発振器（ＯＳＣ−Ｔｈ）２１３の偏差は、扱う周波数が７ＧＨｚ、１０ＧＨｚと高いため、それぞれが１ｐｐｍの誤差を持ったとしても、１３０ＭＨｚのＩＦ周波数帯に変換されたならば、ＩＦ信号は７ＫＨｚのずれを持つ。
【００１２】
通常、復調側の電圧制御発振器（ＶＣＯ−Ｄ）２２２には、ＣＮ（Carrier to Noise ratio）の良さ等から１３０ＭＨｚの電圧制御水晶発振器が用いられる。そして、ずれ検出器２２４が、ずれ量に応じた周波数補正電圧ＡＪを発生し、周波数制御が行なわれる。
【００１３】
次に、図１０の従来のデジタル伝送装置の全体構成図において、本発明の実施の形態に係わる、送信機側装置の変調部１１０における変調部（ＭＯＤ）１１１の構成と、受信機側装置の復調部２２０における復調部（ＤＥＭ）２２３の構成について、以下、説明する。
【００１４】
図１１は、図１０の従来のデジタル伝送装置の全体構成において、送信機側装置の変調部１１０における変調部（ＭＯＤ）１１１の構成を示す図である。
【００１５】
符号化部（ＤＶＢ符号処理部）１１１−１は、主データに訂正符号付加やエネルギー拡散処理を行い、主データマッピング部１１１−２は、主データに基づいて６４ＱＡＭ（Quadrature Amplitude Modulation）マッピングを行う。
【００１６】
ＣＰ発生部１１１−３は、規準位相をＢＰＳＫ（Binary Phase Shift Keying）マッピングする。すなわちＣＰ（Continual Pilot）キャリアを一定振幅にする。
【００１７】
ＡＣ符号化部１１１−４は、補助データに訂正符号付加やエネルギー拡散処理を行い、補助データマッピング部１１１−５は、補助データを例えば１６ＱＡＭ（Quadrature Amplitude Modulation）やＱＰＳＫ（Quaternary Phase Shift Keying）にＩＱマッピングを行う。
【００１８】
ＴＭＣＣ符号化部１１１−６は、識別データに訂正符号付加やエネルギー拡散を行い、識別データマッピング部１１１−７は、識別データを例えば差動変調しＩＱマッピングを行う。
【００１９】
統合部１１１−８は、各々マッピングされた、主データ、ＣＰデータ、補助データ、識別データを、キャリア配置パターンに従い順次選択する。例えば、８本毎にＣＰキャリアを配置する。
【００２０】
ＩＦＦＴ部（マルチキャリア変調部）１１１−９は、入力される信号を周波数成分とみなして、１０２４サンプルの時間波形を作成する。この処理によって直交関係のあるマルチキャリア変調が行なわれる。
【００２１】
ガード付加部１１１−１０は、各シンボル時間毎の最終部分の時間波形の一部を付加し、９／８倍の時間長の波形を作る。
【００２２】
ＤＡ変換部（直交変調処理を含む）１１１−１１は、Ｉ成分とＱ成分の入力を直交変調し、例えば２０．４５ＭＨｚのアナログＩＦＳｂｔ信号に変換する。
【００２３】
図１２は、図１０の従来のデジタル伝送装置の全体構成において、受信機側装置の復調部２２０における復調部（ＤＥＭ）２２３の構成を示す図である。
【００２４】
ＡＤ変換部（直交復調処理を含む）２２３−１は、例えば２０．４５ＭＨｚのアナログＩＦ信号ＳｂｒをベースバンドのＩ，Ｑ信号にデジタル変換する。
【００２５】
ＦＦＴ部（マルチキャリア復調部）２２３−２は、１０２４サンプルからなる時間波形から、その周波数成分を求める。
【００２６】
時間同期ＣＮＴ部２２３−３は、時間波形のガード期間信号を利用し復調部（ＤＥＭ）２２３の動作タイミングや周期を決定する。
【００２７】
ＣＰ抽出＆補間部２２３−４は、８本毎に配置されたＣＰを取りだし、ＣＰの位相や振幅成分を元にデータキャリアで生じている位相や振幅変化を示す補間信号を求める。
【００２８】
補正部２２３−５は補間信号で生じた特性を逆補正する補正データを作成し、データキャリアの位相と振幅を修正する。
【００２９】
分離部２２３―６は、主データと補助データと識別データの成分を分離する。
【００３０】
データ識別部２２３−７は、得られたマッピング点から、主データキャリアの伝送データ値を求める。
【００３１】
復号化部２２３−８は、主データキャリアの伝送データ値からエラー訂正やエネルギー拡散の戻しを行い、主データを復号する。
【００３２】
ＡＣ識別部２２３−９は、得られたマッピング点から、補助データキャリアの伝送データ値を求める。
【００３３】
ＡＣ復号化部２２３−１０は、補助データキャリアの伝送データ値からエラー訂正やエネルギー拡散の戻しを行い補助データを復号する。
【００３４】
ＴＭＣＣ識別部２２３−１１は、得られたマッピング点から識別データキャリアの伝送データ値を求める。
【００３５】
ＴＭＣＣ復号化部２２３−１２は、ＴＭＣＣデータキャリアの伝送値からエラー訂正やエネルギー拡散の戻しを行い補助データを復号する。
【００３６】
なお、ＴＭＣＣ（Transmission and Multiplexing Configuration Control）を用いて伝送データを復号することは広く公知である（例えば、特許文献１参照）。
【００３７】
【特許文献１】特開２００２−７７７６５号公報
【発明の開示】
【発明が解決しようとする課題】
【００３８】
ここで、ＯＦＤＭ（Orthogonal Frequency Division Multiplexing）伝送方式における上記ＴＭＣＣを含む伝送モードについて、以下説明する。
【００３９】
図５は、伝送モードの種類と伝送パラメータを示した図である。伝送モードの規格としては、フルモード（ＨＤＴＶの素材伝送を行うモード）とハーフモード（ＳＤＴＶ２ｃｈの素材伝送を独立して行うモード）がある。
【００４０】
ハーフモードとフルモードの各モードには、ＦＦＴ（Fast Fourier Transform）ポイント数が１０２４（１Ｋ）と２０４８（２Ｋ）がある。
【００４１】
これら１Ｋハーフモードと２Ｋハーフモードと１Ｋフルモードと２Ｋフルモードの各モードにおける，キャリア数の総数および各キャリア（データ，ＣＰ，ＴＭＣＣ，ＡＣ，ＮＵＬＬからなる５種類のキャリア）の数は、図５に表示のようになっている。
【００４２】
データ，ＣＰ，ＴＭＣＣ，ＡＣの数はモードによって異なっており、さらにデータ，ＣＰ，ＡＣは、キャリア変調方式が同期変調か差動変調かでも異なっている。
【００４３】
なお、同期変調としては、ＢＰＳＫ（Binary Phase Shift Keying）,ＱＰＳＫ（Quaternary Phase Shift Keying）,１６ＱＡＭ（Quadrature Amplitude Modulation），３２ＱＡＭ，６４ＱＡＭがあり、差動変調としては、ＤＢＰＳＫ（Differential Binary Phase Shift Keying），ＤＱＰＳＫ（Differential Quaternary Phase Shift Keying）がある。
【００４４】
図６は、図５に示す伝送モードのうちの１Ｋハーフモードでかつ同期変調でのフレーム構成であり、各キャリア・インデックスに乗っているキャリアの種類を示す概略図である。
【００４５】
各キャリア・インデックスには、図５に図示の５種類のキャリア（データ，ＣＰ，ＴＭＣＣ，ＡＣ，ＮＵＬＬからなる５種類のキャリア）が、図６に図示のように乗っている。
【００４６】
図７は、伝送モードのうちの１Ｋハーフモードでかつ同期変調でのフレームにおけるＴＭＣＣ，ＡＣ，ＮＵＬＬの各キャリアの数とその数が具体的に位置する各キャリア・インデックスを示す図である。
【００４７】
図８は、図５に示す伝送モードのうちの２Ｋフルモードでかつ差動変調でのフレーム構成であり、各キャリア・インデックスに乗っているキャリアの種類を示す概略図である。
【００４８】
各キャリア・インデックスには、図５に図示の５種類のキャリア（データ，ＣＰ，ＴＭＣＣ，ＡＣ，ＮＵＬＬからなる５種類のキャリア）が、図６に図示のように乗っている。図６の１Ｋハーフモードでかつ同期変調でのフレーム構成の場合に比べ、同じ各キャリア・インデックスに、異なるキャリアが乗っている。
【００４９】
図９は、伝送モードのうちの２Ｋフルモードでかつ差動変調でのフレームにおけるＴＭＣＣ，ＡＣ，ＮＵＬＬの各キャリアの数とその数が具体的に位置する各キャリア・インデックスを示す図である。
【００５０】
ＴＭＣＣの数は図７の１Ｋハーフモードでかつ同期変調と異なり、一方、ＡＣの数は図７の１Ｋハーフモードでかつ同期変調と同じであるが、ＡＣが具体的に位置するキャリア・インデックスが異なっている。
【００５１】
以上、伝送モードについて、詳細に説明した。
【００５２】
従来のデジタル伝送装置においては、送信機側装置で、これら伝送モードをＴＭＣＣに乗せた補助データにして伝送しており、受信機側装置ではＴＭＣＣの復号を行うことで、伝送モードを判別していた。
【００５３】
したがって、送信機側本体および受信機側本体とは別に送信側アダプタおよび受信側アダプタを設け、音声データ等を送信側アダプタで信号処理して補助データとし、主データとともに伝送する場合は、送信機側本体のＴＭＣＣが送信側アダプタへ入力されないと伝送モードが判別できない。
【００５４】
また受信機側本体のＴＭＣＣが受信側アダプタへ入力されないと伝送モードが判別できないため、送信機本体と受信機本体でモードの設定を行う必要がある。
【００５５】
また、この場合、送信機側本体の伝送モードおよび送信側アダプタの設定が一致していないと、正しく伝送を行うことができない。
【００５６】
本発明の目的は、デジタル伝送装置用アダプタのモードを判別可能なデジタル伝送装置およびデジタル伝送装置用アダプタを提供することにある。
【課題を解決するための手段】
【００５７】
本発明による請求項１記載のデジタル伝送装置は、送信機側装置に送信機側本体と該送信機側本体に接続の送信側アダプタを、受信機側装置に受信機側本体と該受信機側本体に接続の受信側アダプタを備え、前記送信側アダプタと前記受信側アダプタの各々に、前記送信機側本体または前記受信機側本体からの、補助データキャリアの配置位置を特定するためのイネーブル信号から伝送モードを判別し、前記送信側アダプタにおいては判別した該伝送モードに基づいて、前記送信機側本体に補助データを出力し、前記受信側アダプタにおいては判別した該伝送モードに基づいて、前記受信機側本体から出力される補助データを復調することを特徴とする。
【００５８】
本発明による請求項２記載のデジタル伝送装置用アダプタは、送信機側本体に接続される送信側アダプタまたは受信機側本体に接続される受信側アダプタであって、前記送信側アダプタにおいては前記送信機側本体，前記受信側アダプタにおいては前記受信機側本体からの、補助データキャリアの配置位置を特定するためのイネーブル信号から伝送モードを判別し、前記送信側アダプタにおいては判別した該伝送モードに基づいて補助データを出力し、前記受信側アダプタにおいては判別した該伝送モードに基づいて補助データを復調して出力することを特徴とする。
【００５９】
本発明による請求項３記載のデジタル伝送装置またはデジタル伝送装置用アダプタは、請求項１または２記載において、前記伝送モードを、前記補助データキャリアの配置位置を特定するためのイネーブル信号から、前記補助データキャリアの数または前記補助データキャリアの数と位置を検知することにより判別することを特徴とする。
【発明の効果】
【００６０】
本発明によれば、デジタル伝送装置用アダプタのモードを判別可能なデジタル伝送装置およびデジタル伝送装置用アダプタを得ることができる。
【発明を実施するための最良の形態】
【００６１】
図１は、本発明によるデジタル伝送装置の実施の形態を示す全体構成図である。
【００６２】
図１において、送信機側装置は送信機側本体１００と送信機側本体１００に接続の送信側アダプタ１５０を備え、受信機側装置は受信機側本体２００と受信機側本体２００に接続の受信側アダプタ２５０を備えている。
【００６３】
送信機側本体１００は、図１０の従来の構成図で開示の変調部１１０と送信高周波部１２０を備えている。
【００６４】
ただし図１０の変調部１１０における変調部（ＭＯＤ）１１１が、図１では変調部（ＭＯＤ）１１１Ａに置き換えられ、変調部（ＭＯＤ）１１１Ａは、補助データキャリアの配置位置を特定するためのイネーブル信号（以下単にＥＮ信号という）とシンボルの先頭を示す信号とを出力する構成となっている。
【００６５】
送信側アダプタ１５０は、音声データをＡ／Ｄ変換するＡ／Ｄ変換器１５１と、変調部（ＭＯＤ）１１１Ａが出力するＥＮ信号とシンボルの先頭を示す信号とを入力として伝送モードを出力する伝送モード判別部１５２と、変調部（ＭＯＤ）１１１Ａが出力するＥＮ信号と伝送モード判別部１５２が出力する伝送モードとＡ／Ｄ変換器１５１が出力するＡ／Ｄ変換された音声データとを入力として補助データを出力する音声エンコーダ部（音声ＥＮＣ部）１５３とを備えている。
【００６６】
受信機側本体２００は、図１０の従来の構成図で開示の受信高周波部２１０と復調部２２０とを備えている。
【００６７】
ただし図１０の復調部２２０における復調部（ＤＥＭ）２２３が、図１では復調部（ＤＥＭ）２２３Ａに置き換えられ、復調部（ＤＥＭ）２２３Ａは、ＥＮ信号とシンボルの先頭を示す信号と補助データを出力する構成となっている。
【００６８】
受信側アダプタ２５０は、復調部（ＤＥＭ）２２３Ａが出力するＥＮ信号とシンボルの先頭を示す信号とを入力として伝送モードを出力する伝送モード判別部２５１と、復調部（ＤＥＭ）２２３Ａが出力するＥＮ信号と伝送モード判別部２５１が出力する伝送モードと復調部（ＤＥＭ）２２３Ａが出力する補助データとを入力としてデコードされた音声データを出力する音声デコーダ部（音声ＤＥＣ部）２５２と、デコードされた音声データをＤ／Ａ変換するＤ／Ａ変換器２５３とを備えている。
【００６９】
送信機側本体１００の主データとは別に音声データを送信側アダプタ１５０を使って伝送したい場合等に、そのときの音声データをＡ／Ｄ変換器１５１でＡ／Ｄ変換する。
【００７０】
また送信機側本体１００の変調部（ＭＯＤ）１１１Ａからの、ＥＮ信号とシンボルの先頭を示す信号とを伝送モード判別部１５２に入力することにより、送信側アダプタ１５０の伝送モードを判別する。
【００７１】
そのＥＮ信号のタイミングに合わせて、Ａ／Ｄ変換された音声データを音声エンコードした補助データを、送信側アダプタ１５０から送信機側本体１００の変調部（ＭＯＤ）１１１Ａに入力する。
【００７２】
受信機側装置では、受信機側本体２００の復調部（ＤＥＭ）２２３Ａからの補助データを受信側アダプタ２５０へ入力し、その補助データを音声デコードしＤ／Ａ変換することにより音声データを出力する。
【００７３】
このとき、受信機側本体２００の復調部（ＤＥＭ）２２３Ａからの、ＥＮ信号とシンボルの先頭を示す信号とを伝送モード判別部２５１に入力することにより、受信側アダプタ２５０の伝送モードを判別する。
【００７４】
またこのＥＮ信号のタイミングで、音声ＤＥＣ部２５２に補助データを入力することによりデジタル音声データを出力し、Ｄ／Ａ変換器２５３でアナログ音声データに変換して出力する。
【００７５】
図２は、図１における変調部（ＭＯＤ）１１１Ａの構成図である。図２において、図１１の従来の構成図と同一箇所には同一符号を付けてある。
【００７６】
図２は、図１１の従来の補助データマッピング部１１１−５が、ＥＮ信号を出力する補助データマッピング部１１１−５Ａに置き換えられ、図１１の従来の統合部１１１−８が、シンボルの先頭を示す信号を出力する統合部１１１−８Ａに置き換えられている。
【００７７】
図３は、図１における送信側アダプタ１５０の伝送モード判別部１５２および受信側アダプタ２５０の伝送モード判別部２５１の構成図である。
【００７８】
ここでは送信側アダプタ１５０の伝送モード判別部１５２について説明するが、受信側アダプタ２５０の伝送モード判別部２５１も同じ構成である。
【００７９】
図３において、ＥＮ信号とシンボルの先頭を示す信号とがＡＣキャリア数測定部１５２−１に入力される。ＡＣキャリア数測定部１５２−１では、予め、各種伝送モードに対するＡＣ（補助データ）キャリア数を把握しているので、伝送モードを特定できる。
【００８０】
またＥＮ信号は、キャリアの番数を数えるカウンタ１５２−２に入力される。ＡＣキャリア数測定部１５２−１からのＡＣキャリア数とカウンタ１５２−２からのキャリアの番数とがＡＣキャリア位置認識部１５２−３に入力され、ＡＣキャリア位置認識部１５２−３で、キャリア位置の違いにより、ＡＣ（補助データ）キャリアの数が同じ場合の伝送モードを特定する。
【００８１】
そして、ＡＣキャリア数測定部１５２−１からのＡＣキャリア数とＡＣキャリア位置認識部１５２−３からの伝送モードとがモード決定部１５２−４に入力され、モード決定部１５２−４で伝送モードを決定して出力する。
【００８２】
この方法とは別に、ＯＦＤＭ変調に用いられるガードインターバルを利用することにより、１シンボルの長さを特定できることから、必ずしも上記シンボルの先頭を示す信号は入力しなくても良い。
【００８３】
そして、ＥＮ信号のタイミングに合わせて、Ａ／Ｄ変換された音声データを音声エンコードした補助データを、送信側アダプタ１５０から送信機側本体１００の変調部（ＭＯＤ）１１１Ａに入力する。
【００８４】
図４は、図１における復調部（ＤＥＭ）２２３Ａの構成図である。図４において、図１２の従来の構成図と同一箇所には同一符号を付けてある。
【００８５】
図４は、図１２の従来の分離部２２３−６が、シンボルの先頭を示す信号を出力する分離部２２３−６Ａに置き換えられ、図１２のＡＣ識別部２２３−９が、ＥＮ信号を出力するＡＣ識別部２２３−９Ａに置き換えられている。
【００８６】
図４のＡＣ識別部２２３−９Ａから出力されるＥＮ信号と分離部２２３−６Ａから出力されるシンボルの先頭を示す信号が、図１の受信側アダプタ２５０の伝送モード判別部２５１に入力される。
【００８７】
受信側アダプタ２５０の伝送モード判別部２５１は、先に説明した送信側アダプタ１５０の伝送モード判別部１５２と同じ構成であり、入力信号によって伝送モード判別部２５１はＡＣ（補助データ）キャリアの数または数と位置を特定し、伝送モードを決定して出力する。
【００８８】
そして、ＥＮ信号のタイミングで、音声ＤＥＣ部２５２に補助データを入力することによりデジタル音声データを出力し、Ｄ／Ａ変換器２５３でアナログ音声データに変換して出力する。
【００８９】
次に、図１の送信側アダプタ１５０の伝送モード判別部１５２および図１の受信側アダプタ２５０の伝送モード判別部２５１に共通の図３の伝送モード判別部１５２によるモード判別について、詳細に説明する。
【００９０】
本発明の実施の形態では、伝送モードを判別する手段として、図１，図２の変調部（ＭＯＤ）１１１Ａや図１，図４の復調部（ＤＥＭ）２２３Ａの、ＥＮ信号を利用する。
【００９１】
例えば、図４の復調部（ＤＥＭ）２２３Ａでは、ＡＣ識別部２２３−９ＡでＡＣ（補助データ）キャリアを識別し、ＡＣ復号化部２２３−１０でＡＣ（補助データ）キャリアのＥＮ信号数または数と位置から伝送モードを特定し、ＡＣ復号化を行う。
【００９２】
そのときＡＣキャリアが配置されている位置にＡＣ（補助データ）キャリアであることを示すＥＮ（イネーブル）信号が出力される。例えばこの時のＥＮ信号を“１”であるとし、ＡＣ（補助データ）キャリアが配置されていないときは“０”を出力する。
【００９３】
上記発明が解決しようとする課題の冒頭において図５から図９を用いて詳細にしたように、デジタル伝送装置には、伝送モードとして、１Ｋハーフモードと２Ｋハーフモードと１Ｋフルモードと２Ｋフルモードでかつそれらが同期変調か差動変調かでの各伝送モードが存在するが、これらの各伝送モードでは、図５に図示のように、ＡＣ（補助データ）キャリアの数が異なっている。
【００９４】
例えば、１Ｋと２Ｋではキャリア数が約２倍異なるので、ＡＣ（補助データ）キャリアのＥＮ数を数えて、１Ｋと２Ｋを判別する。
【００９５】
またフルモード、ハーフモードでもＡＣキャリア数が異なるので、ＥＮ数を数えることにより特定できる。
【００９６】
ＡＣキャリア数が同じ場合、すなわち、図５に図示の１Ｋハーフモードの同期変調と２Ｋフルモードの差動変調では、ＡＣ（補助データ）キャリア数が同じである場合には、ＡＣ（補助データ）キャリアを示すＥＮ信号の数も同じになる。
【００９７】
しかしながらこの場合には、図７に図示した１Ｋハーフモードの同期変調でのＡＣ（補助データ）キャリアの位置（キャリア・インデックス）と、図９に図示した２Ｋフルモードの差動変調でのＡＣ（補助データ）キャリアの位置（キャリア・インデックス）とが異なる。そこでこのことを利用して、伝送モードを判別する。
【００９８】
このように、まず各伝送モードにおけるＡＣ（補助データ）キャリア数を把握しておき、伝送モード判別部１５２，２５１に入力されるＥＮ数を照らし合わせることで伝送モード判別することができる。
【００９９】
ＡＣ（補助データ）キャリアの数が同じであるような伝送モードが存在したときには、伝送モードによってＡＣ（補助データ）キャリアのキャリア位置が異なることを利用し、０番目のキャリア・インデックスから最終番のキャリア・インデックスまでのキャリア位置を認識することによって判別することができる。
【図面の簡単な説明】
【０１００】
【図１】本発明によるデジタル伝送装置の実施の形態を示す全体構成図である。
【図２】図１における変調部（ＭＯＤ）の構成図である。
【図３】図１における送信側アダプタの伝送モード判別部および受信側アダプタの伝送モード判別部の構成図である。
【図４】図１における復調部（ＤＥＭ）の構成図である。
【図５】伝送モードの種類と伝送パラメータを示した図である。
【図６】図５に示す伝送モードのうちの１Ｋハーフモードでのフレーム構成であり、各キャリア・インデックスに乗っているキャリアの種類を示す概略図である。
【図７】伝送モードのうちの１ＫハーフモードでのフレームにおけるＴＭＣＣ，ＡＣ，ＮＵＬＬの各キャリアの数とその数が具体的に位置する各キャリア・インデックスを示す図である。
【図８】図５に示す伝送モードのうちの２Ｋフルモードでかつ差動変調でのフレーム構成であり、各キャリア・インデックスに乗っているキャリアの種類を示す概略図である。
【図９】伝送モードのうちの２Ｋフルモードでかつ差動変調でのフレームにおけるＴＭＣＣ，ＡＣ，ＮＵＬＬの各キャリアの数とその数が具体的に位置する各キャリア・インデックスを示す図である。
【図１０】従来のデジタル伝送装置の全体構成図である。
【図１１】図１０の従来のデジタル伝送装置の全体構成において、送信機側装置の変調部における変調部（ＭＯＤ）の構成を示す図である。
【図１２】図１０の従来のデジタル伝送装置の全体構成において、受信機側装置の復調部における復調部（ＤＥＭ）の構成を示す図である。
【符号の説明】
【０１０１】
１００：送信機側本体、１１０：変調部、１１１Ａ：変調部（ＭＯＤ）、１１１−５Ａ：補助データマッピング、１１１−８Ａ：統合部、１２０：送信高周波部、１５０：送信側アダプタ、１５１：Ａ／Ｄ変換器、１５２：伝送モード判別部、１５２−１：ＡＣキャリア数測定部、１５２−２：カウンタ、１５２−３：ＡＣキャリア位置認識部、１５２−４：モード決定部、１５３：音声ＥＮＣ部、２００：受信機側本体、２１０：受信高周波部、２２０：復調部、２２３Ａ：復調部（ＤＥＭ）、２２３−６Ａ：分離部、２２３−９Ａ：ＡＣ識別部、２５０：受信側アダプタ、２５１：伝送モード判別部、２５２：音声ＤＥＣ部、２５３：Ｄ／Ａ変換器。
【図１】
2005102065.tif 000003
【図２】
2005102065.tif 000004
【図３】
2005102065.tif 000005
【図４】
2005102065.tif 000006
【図５】
2005102065.tif 000007
【図６】
2005102065.tif 000008
【図７】
2005102065.tif 000009
【図８】
2005102065.tif 000010
【図９】
2005102065.tif 000011
【図１０】
2005102065.tif 000012
【図１１】
2005102065.tif 000013
【図１２】
2005102065.tif 000014